(57)【要約】【課題】  支柱を所定間隔に直列に配置した支柱フェンスを、可及的簡易且つ確実に形成し得るようにする。【解決手段】  支柱配置の方向と長さを定めるように配置した平行一対のレール１間に支柱位置毎の枕木２をスライド挿入してネジ止めし、各枕木２にそれぞれ一対のＬ字金具３を装着し、Ｌ字金具３によって形成される支柱受座に支柱４の下端を挿入し、Ｌ字金具４の起立壁３２から支柱４をネジ５止めして、支柱フェンスＡとする。支柱４の設置箇所のみに枕木２やＬ字金具３を設置すればよいから、アルミ使用量を少なくでき、現場での作業も簡易にして確実にできる。支柱４の高さや支柱４を前後に段差配置してデザインを多様化できる。【選択図】  図５
2011144524.tif 000002
【特許請求の範囲】
【請求項１】
平行一対のレールと、該レール間にその長手方向所定間隔に配置して該平行一対のレール間に介設した多数の枕木と、該多数の枕木に配置することによって各上向きＵ字状の支柱受座を形成したそれぞれ一対のＬ字金具と、該支柱受座に下端を挿入してそのＬ字金具の起立壁からのネジ止めによってレール長手方向所定間隔に起立固定した多数の支柱を備えるとともに上記レール、枕木、Ｌ字金具及び支柱をそれぞれアルミ押出材を加工して形成し、上記平行一対のレールに対する枕木の配置を、各枕木位置で平行一対のレールから枕木両側に対するネジ止めによって固定することによって行い、上記枕木に対する一対のＬ字金具の配置を、枕木の上面に開口した受溝にＬ字金具の起立壁下端に突設した回動突起を嵌合して起倒自在に底壁を重合し且つ該重合した底壁をネジ止めして行ってなることを特徴とする支柱フェンス。
【請求項２】
上記レールに対する枕木のネジ止めを、平行一対のレールの対向面と枕木の両端面を相互に嵌合して該嵌合部位で行ってなることを特徴とする請求項１に記載の支柱フェンス。
【請求項３】
上記一対のうち一方のＬ字金具の底壁を、その起立壁から水平に、他方のＬ字金具の底壁をその起立壁からＬ字段差部を介して、上記一方のＬ字金具の底壁の肉厚分、下位に配置することによって、支柱受面の重合した底面を面一に形成してなることを特徴とする請求項１又は２に記載の支柱フェンス。
【請求項４】
上記枕木の上面に配置した受溝を、該枕木の幅方向対称位置に複数配置して上記Ｌ字金具の枕木上の位置を可変としてなることを特徴とする請求項１、２又は３に記載の支柱フェンス。
【請求項５】
上記一対のＬ字金具を、その起立壁の間隔を幅方向に可変としてなることを特徴とする請求項４に記載の支柱フェンス。
【請求項６】
上記レール長手方向所定間隔に起立固定した多数の支柱を、その一部又は全部の高さを異にした支柱によるものとしてなることを特徴とする請求項１、２、３、４又は５に記載の支柱フェンス。
【発明の詳細な説明】
【技術分野】
【０００１】
本発明は、多数の支柱を直線や湾曲の平面形状として所定間隔に直列配置するように、玄関や庭等に設置使用する支柱フェンスに関する。
【背景技術】
【０００２】
この種の支柱フェンスとして下記特許文献１が知られており、これによれば、該支柱フェンスは、断面Ｕ字状にして幅方向中央に一対のＴ字突条を配置して形成した上向き開口Ｃ字状のボルトガイドを備えた幅広長尺のベースと、該ベースの上記ボルトガイドに底壁下面のボルト頭をスライド自在に嵌合し上記Ｔ字状突条の幅広上面に載置して底壁上に突出したボルト軸にナットを締着することによってベース長手方向所定間隔に固定したＵ字状の支持部材と、該支持部材を下端中空部内に受入れ被嵌して対向側面からそれぞれ該支持部材に対してネジ止めすることによってベース長手方向所定間隔に起立固定した多数の支柱とを備えたものとされ、ベース、支持部材及び支柱を、例えば、アルミ押出材を加工して形成することによって、該支柱フェンスをアルミ製としたものとされている。
【先行技術文献】
【特許文献】
【０００３】
【特許文献１】特開２００９−１７４１２５号公報
【発明の概要】
【発明が解決しようとする課題】
【０００４】
この場合、ベースを直線や湾曲の平面形状に配置することによって、支柱を直線や湾曲した平面形状に直列配置することができ、デザインに優れてアクセントや装飾を兼ねた仕切として玄関、庭等に設置することができるが、この場合、該支柱フェンスは、支柱フェンスを構成するベースを、支柱を配置する長さのものとする必要があるところ、該ベースは、上記断面Ｕ字状にして幅方向中央に一対のＴ字突条を配置したものとされるから、上記アルミ押出材を加工したアルミ製とすることによって、これらベースのアルミ使用量が多くなる傾向を招き、コストアップの要因をなす可能性が残り易く、また、支持金具を支柱の下端中空部に受入れ被嵌して支柱の対向側面からネジ止めを行うものとされるから、支持金具と支柱の中空部間に比較的高い精度を必要とする傾向を招き、施工現場で支持金具に変形が生じたりすると、スムーズな受入れ被嵌の障害となり、施工性を損なうものとなる可能性が残り易い。
【０００５】
本発明はかかる事情に鑑みてなされたもので、その解決課題とするところは、可及的に少ないアルミ使用量によってコストアップを回避するとともに可及的簡易且つ確実な施工をなし得て、現場で良好な施工性を確保し得るようにした支柱フェンスを提供するにある。
【課題を解決するための手段】
【０００６】
上記課題に沿って本発明は、支柱を起立配置する方向と長さを定める帯状材をなし、湾曲も比較的容易になし得る平行一対のレールと、該レール間の支柱立設位置に配置したレール連結金具をなす枕木と、該枕木に支柱受座を形成するように起倒回動自在に配置した各一対のＬ字金具と、該Ｌ字金具による支柱受座に下端を挿入受入れしてその対向する起立壁からネジ止めしたレール長手方向所定間隔の支柱を備えて支柱フェンスを構成することによって、平行一対のレールを、支柱立設位置以外の箇所を平行一対のレール部位として支柱フェンスのアルミ使用量を可及的に少なくするとともに支柱受座を一対のＬ字金具によって形成することによって該Ｌ字金具を支柱外側に配置して支柱の保持を可及的容易且つ確実になし得るようにして可及的高度な現場施工性を確保し得るようにしたものであって、即ち、請求項１に記載の発明を、平行一対のレールと、該レール間にその長手方向所定間隔に配置して該平行一対のレール間に介設した多数の枕木と、該多数の枕木に配置することによって各上向きＵ字状の支柱受座を形成したそれぞれ一対のＬ字金具と、該支柱受座に下端を挿入してそのＬ字金具の起立壁からのネジ止めによってレール長手方向所定間隔に起立固定した多数の支柱を備えるとともに上記レール、枕木、Ｌ字金具及び支柱をそれぞれアルミ押出材を加工して形成し、上記平行一対のレールに対する枕木の配置を、各枕木位置で平行一対のレールから枕木両側に対するネジ止めによって固定することによって行い、上記枕木に対する一対のＬ字金具の配置を、枕木の上面に開口した受溝にＬ字金具の起立壁下端に突設した回動突起を嵌合して起倒自在に底壁を重合し且つ該重合した底壁をネジ止めして行ってなることを特徴とする支柱フェンスとしたものである。
【０００７】
請求項２に記載の発明は、上記に加えて、レールに対する枕木の固定を、双方の嵌合部位においてネジ止めして、ネジ止めの位置ずれや固定不良を招くことなく、簡易且つ確実になし得るものとするように、これを、上記レールに対する枕木のネジ止めを、平行一対のレールの対向面と枕木の両端面を相互に嵌合して該嵌合部位で行ってなることを特徴とする請求項１に記載の支柱フェンスとしたものである。
【０００８】
請求項３に記載の発明は、同じく上記に加えて、上記Ｌ字金具相互の納まりを良好とするとともに支柱受座として支柱を安定且つ確実に垂直起立し得るものとするように、これを、上記一対のうち一方のＬ字金具の底壁を、その起立壁から水平に、他方のＬ字金具の底壁をその起立壁からＬ字段差部を介して、上記一方のＬ字金具の底壁の肉厚分、下位に配置することによって、支柱受面の重合した底面を面一に形成してなることを特徴とする請求項１又は２に記載の支柱フェンスとしたものである。
【０００９】
請求項４に記載の発明は、同じく上記に加えて、枕木上で幅方向に一対のＬ字金具の位置を可変として、異なる幅の支柱を用い、また、支柱起立配置の位置を幅方向に変化し得るものとするように、これを、上記枕木の上面に配置した受溝を、該枕木の幅方向対称位置に複数配置して上記Ｌ字金具の枕木上の位置を可変としてなることを特徴とする請求項１、２又は３に記載の支柱フェンスとしたものである。
【００１０】
請求項５に記載の発明は、同じく上記に加えて、上記Ｌ字家具を、上記異なる幅の支柱を用い又は支柱起立位置を幅方向に変化するように用いるに適したものとするように、これを、上記一対のＬ字金具を、その起立壁の間隔を幅方向に可変としてなることを特徴とする請求項４に記載の支柱フェンスとしたものである。
【００１１】
請求項６に記載の発明は、同じく上記に加えて、支柱フェンスを異なる高さの支柱を用いることによってデザインを多様化したものとし得るように、これを、上記レール長手方向所定間隔に起立固定した多数の支柱を、その一部又は全部の高さを異にした支柱によるものとしてなることを特徴とする請求項１、２、３、４又は５に記載の支柱フェンスとしたものである。
【００１２】
本発明はこれらをそれぞれ発明の要旨として、上記課題解決の手段としたものである。
【発明の効果】
【００１３】
本発明は以上のとおりに構成したから、請求項１に記載の発明は、支柱を起立配置する方向と長さを定める帯状材をなし、湾曲も比較的容易になし得る平行一対のレールと、該レール間の支柱立設位置に配置したレール連結金具をなす枕木と、該枕木に支柱受座を形成するように起倒回動自在に配置した各一対のＬ字金具と、該Ｌ字金具による支柱受座に下端を挿入受入れしてその対向する起立壁からネジ止めしたレール長手方向所定間隔の支柱を備えて支柱フェンスを構成することによって、平行一対のレールを、支柱立設位置以外の箇所を平行一対のレール部位として支柱フェンスのアルミ使用量を可及的に少なくするとともに支柱受座を一対のＬ字金具によって形成することによって該Ｌ字金具を支柱外側に配置して支柱の保持を可及的容易且つ確実になし得るようにして可及的高度な現場施工性を確保し得るようにした支柱フェンスを提供することができる。
【００１４】
請求項２に記載の発明は、上記に加えて、レールに対する枕木の固定を、双方の嵌合部位においてネジ止めして、ネジ止めの位置ずれや固定不良を招くことなく、簡易且つ確実になし得るものとすることができる。
【００１５】
請求項３に記載の発明は、同じく上記に加えて、上記Ｌ字金具相互の納まりを良好とするとともに支柱受座として支柱を安定且つ確実に垂直起立し得るものとすることができる。
【００１６】
請求項４に記載の発明は、同じく上記に加えて、枕木上で幅方向に一対のＬ字金具の位置を可変として、異なる幅の支柱を用い、また、支柱起立配置の位置を幅方向に変化し得るものとすることができる。
【００１７】
請求項５に記載の発明は、同じく上記に加えて、上記Ｌ字家具を、上記異なる幅の支柱を用い又は支柱起立位置を幅方向に変化するように用いるに適したものとすることができる。
【００１８】
請求項６に記載の発明は、同じく上記に加えて、支柱フェンスを異なる高さの支柱を用いることによってデザインを多様化したものとすることができる。
【図面の簡単な説明】
【００１９】
【図１】支柱フェンスの設置態様を示す斜視図である。
【図２】支柱の設置状態を示す縦断面図である。
【図３】支柱の設置状態を示す横断面図である。
【図４】レール、枕木、Ｌ字金具、支柱の関係を示す斜視図である。
【図５】枕木とＬ字金具及び支柱の関係を示す斜視図である。
【発明を実施するための形態】
【００２０】
以下図面の例に従って本発明を更に具体的に説明すれば、Ａは支柱フェンスであり、該支柱フェンスＡは、平行一対のレール１と、該レール１間にその長手方向所定間隔に配置して該平行一対のレール１間に介設した多数の枕木２と、該多数の枕木２に配置することによって各上向きＵ字状の支柱受座を形成したそれぞれ一対のＬ字金具３と、該支柱受座に下端を挿入してそのＬ字金具３の起立壁３２からのネジ５止めによってレール１長手方向所定間隔に起立固定した多数の支柱４を備えるとともに上記レール１、枕木２、Ｌ字金具３及び支柱４をそれぞれアルミ押出材を加工して形成したものとしてあり、このとき、上記平行一対のレール１に対する枕木２の配置を、各枕木２位置で平行一対のレール１から枕木２両側に対するネジ５止めによって固定することによって行い、上記枕木２に対する一対のＬ字金具３の介設を、枕木２の上面に開口した受溝２２にＬ字金具３の起立壁３２下端に突設した回動突起３３を嵌合して起倒自在に底壁３１を重合し且つ該重合した底壁３１をネジ５止めして行ったものとしてあり、このとき本例にあって、上記レール１に対する枕木２のネジ５止めは、これを、平行一対のレール１の対向面と枕木の両端面を相互に嵌合して該嵌合部位で行ったものとしてある。
【００２１】
即ち、本例にあって、平行一対のレール１は、それぞれ支柱１立設配置の長さ、即ち、支柱フェンスＡの長さを有する長尺のものとしてあり、本例のレール１は、例えば細幅縦長の帯状にして、上下中間位置に、上記枕木２と嵌合するように内側の枕木２側に断面コ字状に突出し、外側を凹陥溝とした嵌合条１１と、該嵌合条１１の外側上下に、枕木２の側面に対接する対接条１２を備えて形成してあり、本例にあって該レール１は、更に、上記嵌合条１１の内側に、例えばその縦壁を上下に延設するようにした上下の小突条を突出して備えて、例えば、上下に対称をなすアルミ押出材を用いたものとし、このとき該平行一対のレール１は、該アルミ押出材を共通として上下に反転するように用いることによって平行一対の間で同一断面形状をなすものとしてある。
【００２２】
本例にあって、枕木２は、レール１間隔の横幅と同等乃至これよりやや短い長さを有する平面方形乃至矩形のものとした断面中空にして、上面中央に配置した断面Ｃ字溝２１の幅方向両側に幅広平坦面を配置するとともに該幅広平坦面の幅方向両側に、例えば断面倒Ｌ字状をなすようにＬ字突条によって画して上面を開口した受溝２２を配置し、側面に、上記レールの嵌合条１１を受入れてこれを被嵌するように外側に向けて開口した断面コ字状の嵌合受条２３と、本例にあって該嵌合受条２３の上下に配置して、嵌合受条２３の上下に上記レール１の小突条を受入れ係合する小溝条及び幅方向両側の端部を画して上記対接条１２に対接する上下の対接突条を備えたものとし、また、該嵌合受条２３の対向面間を、上記断面Ｃ字溝２１の脚条を中間に挟み且つこれら嵌合受条２３と脚条を下向きに突出した状態でこれらの間に底壁を配置して上記断面中空に形成したものとしてある。
【００２３】
このとき、本例の枕木２は、その上面に配置した受溝２２を、該枕木２の幅方向対称位置に複数配置してあり、本例にあって該受溝２２は、例えば、上記幅広平坦面の幅方向両側にそれぞれ数条配置して、上記一対のＬ字金具３に対して受溝２２を数対としてあり、従って、該数対の受溝２２を選択的に用いることにより、後述の如くに、Ｌ字金具３の枕木２上の位置を可変としたものとしてある。
【００２４】
本例にあって、一対のＬ字金具３は、底壁３１と起立壁３２を断面Ｌ字状に配置するとともに、起立壁３２下端に回動突起３３を突設したものとして、上記底壁３１と起立壁３２によって上向きＵ字状の支柱受座を形成するものとしてあり、このとき、本例の一対のＬ字金具３は、その一対のうち一方のＬ字金具３の底壁３１を、その起立壁３２から水平に、他方のＬ字金具３の底壁３１をその起立壁３２からＬ字段差部３４を介して、上記一方のＬ字金具３の底壁３１の肉厚分、下位に配置することによって重合した支柱受座の底面を面一に形成したものとしてある。
【００２５】
即ち、本例の一対のＬ字金具３は、その上記起立壁３２を支柱４の保持強度を確保する程度の起立面をなす高さと長さ（奥行）を有するように、正面方形乃至矩形をなし且つ支柱４固定用の複数のネジ透孔を透設したプレート状のものとし、その底壁の長さを、例えば、上記起立壁３２と同長として、起立壁３２からの出幅を、枕木幅の２／３乃至それ以上の該枕木幅より幾分小幅として、底壁３１の重合状態で、双方の底壁３１が枕木２中央位置の断面Ｃ字溝２１を常時被覆するようにして、必要に応じて、その起立壁３２の間隔を幅方向に可変とした、同じくプレート状のものとする一方、各Ｌ字金具３の起立壁３２をそれぞれ下方に延設するように上記Ｌ字段差部３４又は底壁３１の突出位置より下向きに突出し、その下端内側、即ち、Ｌ字段差部３４又は底壁３１突出側を回動用曲面として、該下端と断面Ｌ字状をなすように屈曲した回動突起３３を備えたものとしてある。
【００２６】
多数の支柱４は、断面方形又は矩形の中空材により、その高さを同長とし又は多数のうちの一部又は全部の高さを異にしたもの、本例にあっては該高さを異にし、上記一対のＬ字金具３による支柱受座に下端を挿入して該Ｌ字金具３の起立壁３２が対向する側面に対面状に対接する幅を有し、長さを上記枕木２と同長乃至これよりやや短くしたものとしてある。また、多数の支柱４は、それぞれ上端の中空部に脚片を嵌入固定してキャップ４１を装着し、該中空部を塞ぐことによってその外観を良好に確保したものとしてある。
【００２７】
以上のように形成した支柱フェンスＡの部材は、図４及び図５に示すように、例えば、平行一対のレール１の長手方向端部から該レール１の嵌合条１１を、枕木２の嵌合受条２３に受入れるように枕木２を該一対のレール１間にスライド挿入し、支柱４立設位置において、レール１の嵌合条１１外側の凹陥溝にネジ頭を入れて、ネジ５を枕木２の嵌合受条２３に螺入することによって、これらの嵌合部位におけるネジ５止めを行う一方、該枕木２に、その上面に数条配置した受溝２２のうち、幅方向に一対の受溝２２に、各Ｌ字金具３の回動突起３３を、該受溝２２を画するＬ字突条の開口から斜め方向に差込み挿入するように装着するとともに上記回動突起３３を回動支点として各Ｌ字金具３を起立方向に回動し、枕木２上に一対のＬ字金具３による上向き開口Ｕ字状の支柱受座を形成し、その重合した底壁３１を、枕木２の断面Ｃ字溝２１内にネジ５を逃がすように、その中央位置でネジ５止めして、これらを一体化し、その後に該支柱受座に支柱４の下端を挿入して、各Ｌ字金具３の起立壁３２から、そのネジ透孔を介してネジ５を支柱４の側面に螺入し、支柱４を各一対のＬ字金具３に固定して、支柱フェンスＡを形成するものとしてある。これによって、支柱フェンスＡは、平行一対のレール１に対して、該レール１に介設固定した枕木２と、該枕木２に装着したＬ字金具３を介して支柱４を所定間隔に起立固定することによって直列に配置して、これを形成できるから、該支柱フェンスＡの形成は、これを、可及的簡易且つ確実に行うものとし得る。
【００２８】
本例の支柱フェンスＡは、上記平行一対のレール１に対して、枕木２、Ｌ字金具３を、支柱４の起立固定位置に限って配置すればよいから、これらに用いる原材料、即ち、アルミの使用量を可及的に少なくして、該アルミ使用量の増大によるコストアップを防止できる上、Ｌ字金具３を一対用いて支柱受座を形成するから、支柱４の側面にＬ字金具３を宛がうようにして、Ｌ字金具３の起立壁３２側からネジ５止めを行うようにすれば足りるから、支柱４の起立固定作業を簡易にして確実に行うとともに支柱４を安定して起立したものとすることができる。また、Ｌ字金具３は、その形状が単純で、積重ね搬送等もできるから、外力による変形可能性も少なく、仮に変形があっても、支柱４の外側における起立壁３２からネジ５止めをすればよいから、該変形の影響を可及的に吸収して、その影響を回避できる。本例にあってＬ字金具３は支柱４の外側に露出するものとなるが、支柱フェンスＡは、その下端を、例えば、Ｌ字金具３が地中に埋設するようにコンクリート面等の地面に設置することによって、該Ｌ字金具３が露出するのを防止でき、従って、該Ｌ字金具３を用いることによって外観を損なうこともない。
【００２９】
本例の支柱フェンスＡにあって、その支柱４は高さを異にしたものを用いたから、支柱４高さを一部において異にし、また、図１に示すように順次に異にしたものとすることができ、外観に変化のあるデザインのものとすることができる。このとき、平行一対のレール１を、直線配置すれば、支柱フェンスＡを直線のものとすることができ、平面半円状、Ｓ字状等に湾曲配置すれば、同じく、図１に示すように支柱フェンスＡを湾曲したものとすることができるから、平行一対のレール１を、支柱４起立固定の方向と長さを定めるように適宜に配置することにより、同様に変化のあるデザインのものとすることができる。
【００３０】
また、同一形状の支柱４を用いて、Ｌ字金具３の回動突起３３を差込み挿入するように、枕木２の上記数対の受溝２２を選択して、Ｌ字金具３の枕木２上の位置を変化すれば、支柱４の起立固定を幅方向、即ち、支柱フェンスＡの正面から見て前後方向に段差を付して配置して外観に変化のあるデザインのものとすることができる。更に、上記一対のＬ字金具３を、その起立壁３２の間隔を幅方向に可変としたから、Ｌ字金具３の枕木２上の位置を変化するようにして、幅方向の寸法（前後太さ）を異にする複数形状の支柱４を用いることができ、同様に外観に変化のあるデザインのものとすることもできる。
【００３１】
図示した例に基づく説明は以上のとおりとしたが、一部の支柱に金具装着溝、パネル受入溝、リブ等を配置して、該支柱や支柱間にこれらによって目隠しパネル、装飾材、郵便受け用のポスト等を設置することを含めて、本発明の実施に当って、支柱フェンス、平行一対のレール、枕木、Ｌ字金具、支柱の各具体的形状、構造、材質、用途、これらの関係、これらに対する付加等は、上記発明の要旨に反しない限り、様々な形態のものとすることができる。
【符号の説明】
【００３２】
Ａ  支柱フェンス
１  レール
１１  嵌合条
１２  対接条
２  枕木
２１  断面Ｃ字溝
２２  受溝
２３  嵌合受条
３  Ｌ字金具
３１  底壁
３２  起立壁
３３  回動突起
３４  Ｌ字段差部
４  支柱
４１  キャップ
５  ネジ
【図１】
2011144524.tif 000003
【図２】
2011144524.tif 000004
【図３】
2011144524.tif 000005
【図４】
2011144524.tif 000006
【図５】
2011144524.tif 000007